(57)【要約】【課題】連続エレメント列を上下噛み合わせ式スライダーで容易に噛合及び分離させるスライドファスナーを提供する。【解決手段】  スライドファスナー（１）の各エレメント（３０１，３０２）は、ファスナーテープ（２１，２２）に固定される基部（３０１ｃ，３０２ｃ）及び基部（３０１ｃ，３０２ｃ）から突出し、対向するエレメント（３０１，３０２）と噛み合う頭部（３０１ａ，３０２ａ）をそれぞれ有し、各エレメント（３１，３２）の頭部（３０１ａ，３０２ａ）は、上面（２１ａ，２２ａ）側に配置された第１頭部（３１１ａ，３１２ａ）と、ファスナーテープ（２１，２２）の下面（２１ｂ，２２ｂ）側に配置された第２頭部（３２１ａ，３２２ａ）と、を有し、第１頭部（３１１ａ，３１２ａ）は、第２頭部（３２１ａ，３２２ａ）に対して第１方向にずらして形成されることを特徴とする。【選択図】図９
2015116355.tif 000002
【特許請求の範囲】
【請求項１】
上面（２１ａ，２２ａ）及び前記上面（２１ａ，２２ａ）の反対面側に下面（２１ｂ，２２ｂ）を有する一対のファスナーテープ（２１，２２）及び前記一対のファスナーテープ（２１，２２）のそれぞれの縁部（２３１，２３２）に所定のピッチ毎に固定された複数のエレメント（３０１，３０２）からなるエレメント列を有する一対のファスナーストリンガー（１１，１２）を、各エレメント列（３１，３２）が対向するように配置したファスナーチェーン（１０）と、
前記上面（２１ａ，２２ａ）側に配置される上翼板（６１）、前記下面（２１ｂ，２２ｂ）側に配置された下翼板（６２）、前記上翼板（６１）及び前記下翼板（６２）を連結し、前記第１エレメント列（３１）が出入りするための第１前口（６７）と前記第１前口（６７）の前記下面側に設けられ前記第２エレメント列（３２）が出入りするための第２前口（６８）を有する前端壁、及び噛合した状態の一対の前記エレメント列（３１，３２）が出入りするための一つの後口（７０）を有し、
前記各エレメント列（３１，３２）を噛合させる際に移動させる第１方向と、前記第１方向と反対方向で、分離させるに際に移動させる第２方向に移動させることが可能なスライダー（６）と、
を備え、
前記各エレメント（３０１，３０２）は、前記ファスナーテープ（２１，２２）に固定される基部（３０１ｃ，３０２ｃ）及び前記基部（３０１ｃ，３０２ｃ）から突出し、対向する前記エレメント（３０１，３０２）と噛み合う頭部（３０１ａ，３０２ａ）をそれぞれ有し、
前記各エレメント（３０１，３０２）の前記頭部（３０１ａ，３０２ａ）は、前記上面（２１ａ，２２ａ）側に配置された第１頭部（３１１ａ，３１２ａ）と、前記ファスナーテープ（２１，２２）の前記下面（２１ｂ，２２ｂ）側に配置された第２頭部（３２１ａ，３２２ａ）と、を有し、
前記第１頭部（３１１ａ，３１２ａ）は、前記第２頭部（３２１ａ，３２２ａ）に対して、前記第１方向にずらして形成される
ことを特徴とするスライドファスナー（１）。
【請求項２】
前記各エレメント（３０１，３０２）は、それぞれの前記基部（３０１ｃ，３０２ｃ）と前記頭部（３０１ａ，３０２ａ）の間に前記基部（３０１ｃ，３０２ｃ）と前記頭部（３０１ａ，３０２ａ）よりも幅の小さい首部（３０１ｂ，３０２ｂ）を有し、
前記各エレメント（３０１，３０２）の前記首部（３０１ｂ，３０２ｂ）は、前記上面（２１ａ，２２ａ）側に配置された第１首部（３１１ｂ，３１２ｂ）と、前記ファスナーテープ（２１，２２）の前記下面（２２ａ，２２ｂ）側に配置された第２首部（３２１ｂ，３２２ｂ）と、を有し、
前記第１首部（３１１ｂ，３１２ｂ）は、前記第２首部（３２１ｂ，３２２ｂ）よりも、前記第１方向にずらして形成される
ことを特徴とする請求項１に記載のスライドファスナー（１）。
【請求項３】
前記各エレメント（３０１，３０２）は、
前記第１頭部（３１１ａ，３１２ａ）の前記第１方向側に第１凸部（３３１ａ，３３２ａ）が形成され、
前記第１首部（３１１ｂ，３１２ｂ）の前記第１方向側に第１凹部（３３１ｂ，３３２ｂ）が形成され、
前記第２頭部（３２１ａ，３２２ａ）の前記第２方向側に第２凸部（３４１ａ，３４２ａ）が形成され、
前記第２首部（３２１ｂ，３２２ｂ）の前記第２方向側に第２凹部（３４１ｂ，３４２ｂ）が形成され、
一対のファスナーストリンガーの噛合時に、一方のエレメント（３０１）の第１凸部（３３１ａ）は対向するエレメント（３０２）の第２凹部（３４２ｂ）と係合し、
一方のエレメント（３０１）の第１凹部（３３１ｂ）は対向するエレメント（３０２）の第２凸部（３４２ａ）と係合してなる
ことを特徴とする請求項２に記載のスライドファスナー（１）。
【請求項４】
前記第１頭部（３１１ａ，３１２ａ）の前記第２頭部（３２１ａ，３２２ａ）に対するズレ量（ａ）は、0.2ｍｍ以上0.3ｍｍ以下であり、
かつ
前記エレメント（３０１，３０２）の前記頭部（３０１ａ，３０２ａ）の前記第１方向に沿う寸法（Ｌ）に対するズレ量（ａ）の割合（ａ／Ｌ）は９％以上１５％以下である
ことを特徴とする請求項１乃至請求項３のいずれか１つに記載のスライドファスナー（１）。
【発明の詳細な説明】
【技術分野】
【０００１】
本発明は、ファスナーテープに連続エレメント列が固定されたファスナーチェーンを上下噛み合わせ式スライダーで噛合及び分離させるスライドファスナーに関する。
【背景技術】
【０００２】
国際公開２０１０／０８２２９１号（特許文献１）には、スライダーの務歯案内通路が、分離状態の第１務歯列及び第２務歯列を進入又は排出させる表裏方向に段差を有して配される左右の肩口と、噛合状態の第１務歯列及び第２務歯列を排出又は進入させる後口と、を有し、第１務歯列における表係止部の延出長さを、第２務歯列における表係止部の延出長さよりも短く形成したスライドファスナーが記載されている。
【０００３】
特許文献１に記載の発明によれば、左右の務歯列同士の噛合を行う際に、延出長さが短い第１務歯列を裏面側から、延出長さが長い第２務歯列を表側から表裏段違いに導入して、表裏方向及び左右方向から左右の務歯列同士を斜めに合流させて互いの務歯同士を噛合させることが容易となる。また、噛合状態にある左右の務歯列同士を分離させる際には、表裏方向及び左右方向に斜めに務歯列同士を分離させて、互いの務歯同士を分離させることが容易となる。
【先行技術文献】
【特許文献】
【０００４】
【特許文献１】国際公開２０１０／０８２２９１号
【発明の概要】
【発明が解決しようとする課題】
【０００５】
本発明は、連続エレメント列を上下噛み合わせ式スライダーで容易に噛合及び分離させるスライドファスナーを提供することを目的とする。
【課題を解決するための手段】
【０００６】
本発明の一実施形態にかかるスライドファスナーは、
上面及び前記上面の反対面側に下面を有する一対のファスナーテープ及び前記一対のファスナーテープのそれぞれの縁部に所定のピッチ毎に固定された複数のエレメントからなるエレメント列を有する一対のファスナーストリンガーを各エレメント列が対向するように配置したファスナーチェーンと、
前記上面側に配置される上翼板、前記下面側に配置された下翼板、前記上翼板及び前記下翼板を連結し、前記第１エレメント列が出入りするための第１前口と前記第１前口の前記下面側に段違いに設けられ前記第２エレメント列が出入りするための第２前口を有する前端壁、及び噛合した状態の一対の前記エレメント列が出入りするための一つの後口を有し、前記各エレメント列を噛合又は分離させるために移動自在なスライダーと、
を備え、
前記各エレメントは、前記ファスナーテープに固定される基部及び前記基部から突出し、対向する前記エレメントと噛み合う頭部をそれぞれ有し、
前記各エレメントの前記頭部は、前記上面側に配置された第１頭部と、前記ファスナーテープの前記下面側に配置された第２頭部と、を有し、
前記第１頭部は、前記第２頭部よりも、前記各エレメント列を噛合させる際に前記スライダーを移動させる第１方向にずらして形成される
ことを特徴とする。
【０００７】
本発明の一実施形態にかかるスライドファスナーでは、
前記各エレメントは、それぞれの前記基部と前記頭部の間に前記基部と前記頭部よりも幅の小さい首部を有し、
前記各エレメントの前記首部は、前記上面側に配置された第１首部と、前記ファスナーテープの前記下面側に配置された第２首部と、を有し、
前記第１首部は、前記第２首部よりも、前記各エレメント列を噛合させる際に前記第１方向にずらして形成される
ことを特徴とする。
【０００８】
本発明の一実施形態にかかるスライドファスナーでは、
前記各エレメントは、
前記第１頭部の前記下面側の前記第１方向側に第１凸部が形成され、
前記第１首部の前記下面側の前記第１方向側に第１凹部が形成され、
前記第２頭部の前記下面側の前記第１方向とは反対の第２方向側に第２凸部が形成される
前記第２首部の前記上面側の前記第１方向とは反対の第２方向側に第２凹部が形成され、
一対のファスナーストリンガーの噛合時に、一方のエレメントの第１凸部は対向するエレメントの第２凹部と係合し、
一方のエレメントの第１凹部は対向するエレメントの第２凸部と係合してなることを特徴とする。
【０００９】
前記第１頭部の前記第２頭部に対するずらしたズレ量は、0.2ｍｍ以上0.3ｍｍ以下であり、
かつ
前記エレメントの前記頭部の前記第１方向に沿う寸法に対するズレ量の割合は９％以上１５％以下である
ことを特徴とする。
【発明の効果】
【００１０】
本発明によれば、連続エレメント列を上下噛み合わせ式スライダーで容易に噛合及び分離させるスライドファスナーを提供することが可能となる。
【図面の簡単な説明】
【００１１】
【図１】本発明にかかる一実施形態のファスナーチェーンを用いて構成されたスライドファスナーを示す正面図である。
【図２】本発明にかかる一実施形態の分離状態のファスナーチェーンを示す図である。
【図３】図２のＡ−Ａ断面図である。
【図４】図２のＢ−Ｂ断面図である。
【図５】本発明にかかる一実施形態の噛合状態のファスナーチェーンのエレメントを示す図である。
【図６】図５のＣ−Ｃ断面図である。
【図７】本発明にかかる一実施形態のスライドファスナーのスライダーの斜視図である。
【図８】本発明にかかる一実施形態のスライドファスナーのスライダーの側面図である。
【図９】本実施形態のスライドファスナーをスライダーによって分離している状態を表す図である。
【図１０】本実施形態とは異なる表裏逆のスライドファスナーをスライダーによって分離している参考例の状態を表す図である。
【図１１】本実施形態のスライドファスナーをスライダーによって噛合している状態を表す図である。
【図１２】本実施形態とは異なる表裏逆のスライドファスナーをスライダーによって噛合している参考例の状態を表す図である。
【図１３】本実施形態のエレメント３０の寸法を示す。
【図１４】表１のズレ量に対する横引強度を示すグラフである。
【図１５】表１のズレ量に対する突上強度を示すグラフである。
【図１６】表２のズレ量に対する分離時の摺動抵抗を示すグラフである。
【図１７】表３のズレ量に対する噛合時の摺動抵抗を示すグラフである。
【発明を実施するための形態】
【００１２】
以下、図面に基づき本発明にかかる一実施形態のファスナーチェーン１及びスライドファスナー１０を具体的に説明する。
【００１３】
図１は、本発明にかかる一実施形態のファスナーチェーンを用いて構成されたスライドファスナーを示す正面図である。
【００１４】
本実施形態にて説明するスライドファスナー１は、複数の第１エレメント３０１からなる第１エレメント列３１が第１ファスナーテープ２１に固定された第１ファスナーストリンガー１１並びに複数の第２エレメント３０２からなる第２エレメント列３２が第２ファスナーテープ２２に固定された第２ファスナーストリンガー１２を有する左右一対のファスナーチェーン１０と、左右の連続エレメント列３１，３２に沿って摺動し、同連続エレメント列３１，３２のエレメント３０１，３０２を噛合及び分離させるスライダー６とを有している。
【００１５】
また、以下の説明にて、ファスナーチェーン１０の長手方向にて連続エレメント列が設けられる方向を前後方向とし、スライダー６を摺動して左右の連続エレメント列３１，３２を噛合させる方向を前方向、分離させる方向を後方向とする。そして、左右方向は、ファスナーチェーン１０の面に水平で前後方向に垂直な方向とする。前後方向および左右方向で規定される面に垂直な方向を表裏方向とし、ファスナーチェーン１０のスライダー６の引手が存在する側を表面とし、その反対側を裏面とする。表裏方向を上下方向として、表面側を上面側、裏面側を下面側とも言うことができる。
【００１６】
なお、前方向を第１方向、後方向を第２方向と言い換えてよい。第２方向は、第１方向の反対方向である。また、表面及び裏面は、第１面及び第２面と言い換えてよい。
【００１７】
ファスナーチェーン１０は、一対のファスナーストリンガー１１，１２からなる。ファスナーストリンガー１１，１２は、上面２１ａ及び上面２１ａの反対面側の下面２１ｂを有する一対のファスナーテープ２０と、一対のファスナーテープ２０のそれぞれの縁部２３に所定のピッチ毎に固定された複数のエレメント３０１，３０２からなるエレメント列３１，３２と、を有し、各エレメント列３１，３２が対向するように配置されている。
【００１８】
また、各連続エレメント列３１，３２の上端には、それぞれ図示しない上止具が固定され、連続エレメント列３１，３２の下端には一つの図示しない下止具が固定されている。これにより、連続エレメント列３１，３２の上端と下端とからスライダー６が抜脱することを防いでいる。なお、本実施形態では、下止具に代えて、蝶棒と箱棒とを有する開き具を固定することも可能である。
【００１９】
図２は、本発明にかかる一実施形態の分離状態のファスナーチェーンを示す図である。図３は、図２のＡ−Ａ断面図である。図４は、図２のＢ−Ｂ断面図である。            
【００２０】
第１エレメント３０１は、ファスナーチェーン１０の左右方向において、第１ファスナーテープ２１の第１縁部２３１から最も離れた外側に位置する頭部３０１ａと、頭部３０１ａより内側（第１縁部２３１寄り）且つ第１縁部２３１より外側に位置する首部３０１ｂと、首部３０１ｂより内側で第１縁部２３１を挟持する基部３０１ｃと、を有する。また、第１エレメント３０１は、第１ファスナーテープ２１の上面２１ａ側に配置された第１半部３１１と、第１ファスナーテープ２１の下面２１ｂ側に配置された第２半部３２１と、を有する。第１半部３１１と第２半部３２１とは、第１ファスナーテープ２１を上下から挟んで、一体に形成されている。
【００２１】
第１半部３１１は、第１ファスナーテープ２１の上面２１ａに接する第１基部３１１ｃと、第１基部３１１ｃから突出し、第１ファスナーテープ２１の外側へ向けて延びる第１首部３１１ｂと、第１首部３１１ｂの先端に形成された第１頭部３１１ａと、を有する。第２半部３２１は、第１ファスナーテープ２１の下面２１ｂに接する第２基部３２１ｃと、第２基部３２１ｃから突出し、第１ファスナーテープ２１の外側へ向けて延びる第２首部３２１ｂと、第２首部３２１ｂの先端に形成された第２頭部３２１ａと、を有する。第１基部３１１ｃと第２基部３２１ｃは、第１縁部２３１を上下方向から挟持している。
【００２２】
本実施形態の第１エレメント３０１は、第１半部３１１が第２半部３２１に対して前方向にずれた状態又は第２半部３２１が第１半部３１１に対して後ろ方向にずれた状態で形成されている。第１半部３１１の第１頭部３１１ａの前方には第１凸部３３１ａ、第１首部３１１ｂの前方には第１凹部３３１ｂ、及び第１基部３１１ｃの前方には第１段部３３１ｃが形成される。第２半部３２１の第２頭部３２１ａの後方には第２凸部３４１ａ、第２首部３２１ｂの後方には第２凹部３４１ｂ、及び第２基部３２１ｃの後方には第２段部３４１ｃが形成される。
【００２３】
本実施形態の第２ファスナーストリンガー１２は、第１ファスナーストリンガー１１と左右方向で対称に形成され、その構成要素は第１ファスナーストリンガー１１と同様である。第２エレメント３０２は、ファスナーチェーン１０の左右方向において、第２ファスナーテープ２２の第２縁部２３２から最も離れた外側に位置する頭部３０２ａと、頭部３０２ａより内側（第２縁部２３２寄り）且つ第２縁部２３２より外側に位置する首部３０２ｂと、首部３０２ｂより内側で第２縁部２３２を挟持する基部３０２ｃと、を有する。また、第２エレメント３０２は、第２ファスナーテープ２２の上面２１ａ側に配置された第１半部３１２と、第２ファスナーテープ２２の下面２１ｂ側に配置された第２半部３２２と、を有する。第１半部３１２と第２半部３２２とは、第２ファスナーテープ２２を上下から挟んで、一体に形成されている。
【００２４】
第１半部３１２は、第２ファスナーテープ２２の上面２１ａに接する第１基部３１２ｃと、第１基部３１２ｃから突出し、第２ファスナーテープ２２の外側へ向けて延びる第１首部３１２ｂと、第１首部３１２ｂの先端に形成された第１頭部３１２ａと、を有する。第２半部３２２は、第２ファスナーテープ２２の下面２１ｂに接する第２基部３２２ｃと、第２基部３２２ｃから突出し、第２ファスナーテープ２２の外側へ向けて延びる第２首部３２２ｂと、第２首部３２２ｂの先端に形成された第２頭部３２２ａと、を有する。第１基部３１２ｃと第２基部３２２ｃは、第２縁部２３２を上下方向から挟持している。
【００２５】
本実施形態の第２エレメント３０２は、第１半部３１２が前方向にずれた状態又は第２半部３２２が後ろ方向にずれた状態で形成されている。第１半部３１２の第１頭部３１２ａの反対面側前方には第１凸部３３２ａ、第１首部３１２ｂの反対面側前方には第１凹部３３２ｂ、及び第１基部３１２ｃの反対面側前方には第１段部３３２ｃが形成される。第２半部３２２の第２頭部３２２ａの反対面側後方には第２凸部３４２ａ、第２首部３２２ｂの反対面側後方には第２凹部３４２ｂ、及び第２基部３２２ｃの反対面側後方には第２段部３４２ｃが形成される。
【００２６】
図５は、本発明にかかる一実施形態の噛合状態のファスナーチェーンを示す図である。図６は、図５のＣ−Ｃ断面図である。
【００２７】
本実施形態のファスナーチェーン１０の噛合状態では、図５に示すように、前後方向に隣り合う第１エレメント列３１の頭部３０１ａと第２エレメント列３２の首部３０２ｂ及び第１エレメント列３１の首部３０１ｂと第２エレメント列３２の頭部３０２ａがそれぞれ噛み合っている。
【００２８】
そして、図６に示すように、第１エレメント３０１の第１凸部３３１ａと第２エレメント３０２の第２凹部３４２ｂ及び第１エレメント３０１の第２凸部３４１ａと第２エレメント３０２の第１凹部３３２ｂがそれぞれ対向し、図示しない第１エレメント３０１の第１凹部３３１ｂと第２エレメント３０２の第２凸部３４２ａ及び第１エレメント３０１の第２凹部３４１ｂと第２エレメント３０２の第１凸部３３２ａが夫々対向する。
【００２９】
これにより、対向する第１エレメント列３１と第２エレメント列３２は的確に噛み合うことが可能となる。
【００３０】
次に、本実施形態のファスナーチェーン１０のスライダー６について説明する。
【００３１】
図７は、本発明にかかる一実施形態のスライドファスナーのスライダーの斜視図である。図８は、本発明にかかる一実施形態のスライドファスナーのスライダーの側面図である。
【００３２】
図７及び図８を参照すると、本実施形態に係るスライダー６は基本構造として上翼板６１と、下翼板６２と、図１に示した第１ファスナーテープ２１をガイドする第１ガイド溝６３を有する第１側壁６４と、第２ファスナーテープ２２をガイドする第２ガイド溝６５を有する第２側壁６６と、上翼板６１及び下翼板６２を連結し、分離した状態の図２に示した第１エレメント列３１が出入りするための第１前口６７及び第２エレメント列３２が出入りするための第２前口６８が第１前口６７の下方向に位置して設けられた前端壁６９と、噛合した状態の図１に示した一対のエレメント列３が出入りするための一つの後口７０と、を備える。
【００３３】
上翼板６１は上面に引手取付部７５を有している。本実施形態においては、引手取付部７５は、一端が片持ち状に固定されて摺動方向に延在する門型であるが、これに限られるものではなく、当業者に知られた任意の形状の引手取付部とすることができる。また、一端に環状部を有する図示しない引手を用意し、この環状部を介して引手を引手取付部７５に回動自在に取り付けることができる。また、引手取付部７５の先端を下方（すなわち、上翼板に近づける方向）に加締めることで、図示しない引手が引手取付部７５から容易に抜けなくなるようにすることができる。
【００３４】
図８を参照すると、二つの前口６７，６８と一つの後口７０は、各ガイド溝６３，６５に沿って上下方向に分岐するようにスライダー内部に形成される略Ｙ字状のエレメント案内路８０によって連結されている。エレメント案内路８０は上翼板６１の内表面、下翼板６２の内表面、左右の側壁６４，６６の内側面、及びエレメント案内柱７１によって規定される。
【００３５】
エレメント案内路８０を規定する上翼板６１の内表面は、表面側の第１前口６７から下方に向かう傾斜面８１と、当該傾斜面８１に連接し、エレメント列同士の噛合が行われる水平面８３とを有している。また、下翼板６２の内表面は、裏面側の第２前口６８から上方に向かう傾斜面８２と、当該傾斜面８２に連接し、エレメント列同士の噛合が行われる水平面８４とを有している。各水平面８３，８４の後端は後口７０に連絡している。各傾斜面８１，８２と水平面８３，８４の接続箇所はエレメント列のスムーズな動きのために曲線状となっていることが好ましい。
【００３６】
ガイド溝６３，６５は、上翼板６１の内表面及び下翼板６２の内表面の形状に対応した傾斜部分と水平部分が形成されており、接続箇所はファスナーテープのスムーズな動きのために曲線状となっていることが好ましい。具体的には、第１側壁６４に形成された第１ガイド溝６３は、表面側の第１前口６７に連絡する前端と、前端に連接し下方に向かう傾斜部分と、傾斜部分に連接しエレメント列同士の噛合を行う水平部分と、水平部分に連接し後口７０に連絡する後端を有しており、傾斜部分及び水平部分は上翼板６１の内表面に平行となるように形成されている。第２側壁６６に形成された第２ガイド溝６５は、裏面側の第２前口６８に連絡する前端と、前端に連接し前方に向かう傾斜部分と、傾斜部分に連接しエレメント列同士の噛合を行う水平部分と、水平部分に連接し後口７０に連絡する後端を有しており、傾斜部分及び水平部分は下翼板６２の内表面に平行となるように形成されている。
【００３７】
次に、本実施形態のファスナーチェーン１０のエレメントをスライダー６によって分離させる際の動作について説明する。
【００３８】
図９は、本実施形態のスライドファスナーをスライダーによって分離している状態を表す図である。
【００３９】
スライダー６を矢印Ａ１方向に移動させると、噛合した状態の一対のエレメント列が後口７０からスライダー６に進入する。当初噛み合っていたエレメント列は、エレメント案内路８０に形成されているエレメント案内柱７１によって分離される。
【００４０】
本実施形態に係るスライダー６においては、二つの前口６７，６８はそれぞれ左右方向の中央線を跨いで存在しており、これにより二つの前口６７，６８は左右方向の重なり部分が生じている。これにより、各エレメント列３１，３２は、表裏方向に分離する。
【００４１】
分離の際、表面側の第１前口６７へ向かう第１エレメント３０１は、図９に示すように、矢印Ａ２の方向に引っ張られる。すると、第１エレメント３０１の第２凸部３４１ａと第２エレメント３０２の第１凹部３３２ｂ及び図示しない第１エレメント３０１の第２凹部３４１ｂと第２エレメント３０２の第１凸部３３２ａがそれぞれ接触し、第１エレメント３０１の第１凸部３３１ａと第２エレメント３０２の第２凹部３４２ｂ及び図示しない第１エレメント３０１の第１凹部３３１ｂと第２エレメント３０２の第２凸部３４２ａがそれぞれ離間する。
【００４２】
第１エレメント３０１が第２エレメント３０２と離間するためには、矢印Ａ３の方向の動きが必要である。本実施形態の場合、第１エレメント３０１の第２凸部３４１ａ及び第２凹部３４１ｂが、それぞれ第２エレメント３０２の第１凹部３３２ｂ及び第１凸部３３２ａに対して接触した後、第１エレメント３０１は、矢印Ａ２の方向に引っ張られる。そして、第１エレメント３０１は、矢印Ａ３の方向に傾斜することによって、第２エレメント３０２に対して滑りやすい角度となる。
【００４３】
図９に示した第１エレメント３０１にかかる矢印Ａ２の力と矢印Ａ３の方向の動きは回転方向が同じなので、スライダー６を引く方向Ａ１の力に対して、第１エレメント３０１は、矢印Ａ３の方向に容易に動く。したがって、さらにスライダー６が移動することによって、第１エレメント３０１と第２エレメント３０２を容易に離間させることが可能となる。
【００４４】
図１０は、本実施形態とは異なる表裏逆のスライドファスナーをスライダーによって分離している参考例の状態を表す図である。
【００４５】
図１０に示す本実施形態とはエレメントの向きが異なる例の場合、分離の際、スライダー６を矢印Ａ１１方向に引っ張って後ろ方向へ移動させると、表面側の第１前口６７へ向かう第２エレメント３０２は、矢印Ａ１２の方向に動く。すると、第１エレメント３０１の第１凸部３３１ａと第２エレメント３０２の第２凹部３４２ｂ及び図示しない第１エレメント３０１の第１凹部３３１ｂと第２エレメント３０２の第２凸部３４２ａがそれぞれ接触する。そして、第２エレメント３０２には、その接触点を中心として回転しようとする力が生じ、第１エレメント３０１の第２凸部３４１ａと第２エレメント３０２の第２凹部３４２ｂ及び図示しない第１エレメント３０１の第２凹部３４１ｂと第２エレメント３０２の第２凸部３４２ａもそれぞれ接触する。
【００４６】
この場合、第１エレメント３０１の第１凸部３３１ａと第２エレメント３０２の第２凹部３４２ｂ及び図示しない第１エレメント３０１の第１凹部３３１ｂと第２エレメント３０２の第２凸部３４２ａがそれぞれ接触することによって、第１エレメント３０１と第２エレメント３０２を離間させることが困難となる。
【００４７】
次に、本実施形態のファスナーチェーン１０のエレメントをスライダー６によって噛合させる際の動作について説明する。
【００４８】
図１１は、本実施形態のスライドファスナーをスライダーによって噛合している状態を表す図である。
【００４９】
スライダー６を矢印Ｂ１方向に移動させると、分離した状態の第１エレメント３０１が 表面側の第１前口６７から進入し、第２エレメント３０２ が裏面側の第２前口６８から進入する。第１エレメント３０１及び第２エレメント３０２は、それぞれエレメント案内路８０に案内され、後口７０の手前で噛み合い、後口７０から排出される。
【００５０】
噛合の際、裏面側の第２前口６８から進入し、エレメント案内柱７１を通り過ぎた第２エレメント３０２は、図１１に示すように、矢印Ｂ２の方向に引っ張られる。すると、第１エレメント３０１の第１凸部３３１ａと第２エレメント３０２の第２凹部３４２ｂ及び図示しない第１エレメント３０１の第１凹部３３１ｂと第２エレメント３０２の第２凸部３４２ａが接触し、第２エレメント３０２は、矢印Ｂ３の方向の動きが生じる。
【００５１】
図１１に示した第２エレメント３０２にかかる矢印Ｂ２の力と矢印Ｂ３の方向の動きは回転方向が同じなので、スライダー６を引く方向Ｂ１の力に対して、第２エレメント３０２は、矢印Ｂ３の方向に容易に動く。したがって、さらにスライダー６が移動することによって、第１エレメント３０１と第２エレメント３０２を容易に噛合させることが可能となる。
【００５２】
図１２は、本実施形態とは異なる表裏逆のスライドファスナーをスライダーによって噛合している参考例の状態を表す図である。
【００５３】
図１２に示す本実施形態とはエレメントの向きが異なる例の場合、噛合の際、スライダー６を矢印Ｂ１１方向に引っ張って移動させると、後口７０へ向かう第１エレメント３０１のうちエレメント案内柱７１を通り過ぎた第１エレメント３０１は、矢印Ｂ１２の方向に動く。
【００５４】
すると、第１エレメント３０１の第１頭部３１１ａの表面が第２エレメント３０２の第２凹部３３２ｂに接触し、第１エレメント３０１と第２エレメント３０２の噛み合いに支障をきたす場合がある。
【００５５】
次に、本実施形態の各エレメントの第１半部３１１と第２半部３２１のずらす寸法（ズレ量と言う）について説明する。なおズレ量ａは、第１頭部３１１ａを第２頭部３２１ａに対してずらす寸法、および、第１首部（３１１ｂ）を第２首部（３２１ｂ）に対してずらす寸法でもある。
【００５６】
図１３は、本実施形態の第１エレメント３０１の寸法を示す。なお、これ以降、第１エレメント３０１を例に寸法を説明するが、第２エレメント３０２においても同様である。
【００５７】
図１３に示すように、第１エレメント３０１の頭部３０１ａにおける最も大きい前後方向の寸法をＬ、ズレ量をａ、首部３０１ｂの最も小さい前後方向の寸法をｂとする。なお、前後方向の寸法Ｌは第１方向に沿う寸法、もしくは第２方向に沿う寸法に言い換えることができる。ここで、第１半部３１１における第１頭部３１１ａと第２半部３２１における第２頭部３２１ａの寸法は同じである。また、第１首部３１１ｂと第２首部３２１ｂの寸法は同じである。
【００５８】
第１エレメント３０１の第１半部３１１と第２半部３２１のズレ量ａは、言い換えれば、第１エレメント３０１の第１凸部３３１ａ及び第２凸部３４１ａの前後方向の寸法である。なお、ズレ量ａは第１凹部３３１ｂ及び第２凹部３４１ｂの前後方向の寸法も同じになる。
【００５９】
ズレ量ａを測るには、第１半部３１１における第１頭部３１１ａの前側端縁から第２半部３２１における第２頭部３２１ａの前側端縁までの寸法もしくは、第２半部３２１における第２頭部３２１ａの後側端縁から第１半部３１１における第１頭部３１１ａの後側端縁までの寸法を測ることで得られる。または、第１半部３１１における第１首部３１１ｂの前側端縁から第２半部３２１における第２首部３２１ｂの前側端縁までの寸法もしくは、第２半部３２１における第２首部３２１ｂの後側端縁から第１半部３１１における第１首部３１１ｂの後側端縁までの寸法を測ることで得られる。
【００６０】
表１は、横引強度及び突上強度の２つの項目について行ったチェーンの強度試験の結果を示す。また、図１４は、表１のズレ量に対する横引強度を示すグラフである。図１５は、表１のズレ量に対する突上強度を示すグラフである。ここで、横引強度は、ファスナーチェーンを噛合させた状態で、左右のファスナーテープを互いに左右反対方向に一定速度で引っ張ったときの抵抗の大きさを示す。また、突上強度は、ファスナーチェーンを噛合させた状態で、エレメントをテープ面に対して垂直方向に突き上げたときの抵抗の大きさを示す。単位は、［Ｎ］である。ファスナーチェーンを横引強度および突上強度にて各５本づつ準備し、それぞれにおける抵抗の大きさを記録し、最大（max）と最小（min）と、平均（Ave）を表す。
【表１】
2015116355.tif 000003
【００６１】
図１４に示すように、ファスナーチェーンは、ズレ量が0.1mmと0.4mmでは、横引強度の平均が所定の基準値400Nを下回っている。これでは、十分な強度とはいえないので、ファスナーチェーンのズレ量ａは、以下の式（１）を満足することが好ましい。
0.2≦ａ≦0.3              （１）
【００６２】
また、第１エレメント３０１の頭部３０１ａの寸法Ｌに対するズレ量ａの割合を規定してもよい。この場合、以下の式（２）を満足することが好ましい。
9%≦ａ／Ｌ≦15％          （２）
【００６３】
さらに好ましくは、9.6%≦ａ／Ｌ≦14.4％を満たすことがよい。
【００６４】
この式による、９％未満では横引強度や突上強度が十分に得られず、１５％より大きいと噛合および分離における摺動抵抗が大きくなる。ここで、摺動抵抗が大きくなる要因は、スライダー内部にて分離する場合を例にすると、左右エレメントは噛合った状態から、スライダーの前口側が上下方向に離れるようにエレメントが傾く姿勢になって分離するため、ａ／Ｌが大きいと、分離するのに大きく姿勢を変化して傾く必要がでるため、摺動抵抗が大きくなる。噛合する際には、分離した状態の左右エレメントは前口側から後口側に向かうに従って、傾いた状態から水平になるように姿勢を変化するため、分離する際と同様に、摺動抵抗が大きくなる。
【００６５】
本実施例では、Ｌ＝2.1mmとすればよい。なお、参考として、本実施例の首部の前後方向の寸法（幅）ｂは、1.2mmとする。
【００６６】
表２は、スライドファスナーの分離時の摺動抵抗を示す。表３は、スライドファスナーの噛合時の摺動抵抗を示す。また、図１６は、表２のズレ量に対する分離時の摺動抵抗を示すグラフである。図１７は、表３のズレ量に対する噛合時の摺動抵抗を示すグラフである。ここで、噛合時の摺動抵抗は、スライドファスナーのスライダーの引手を引っ張って、スライドファスナーを噛み合わせる方向へ移動したときの抵抗の大きさを表し、分離時の摺動抵抗は、スライドファスナーのスライダーの引手を引っ張って、スライドファスナーを分離する方向へ移動したときの抵抗の大きさを表す。
【００６７】
表中0.2mm第２方向はエレメントのズレ量ａが0.2mmで第１半部３１１が第２半部３２１に対して後方向（第２方向）にずれている場合であり、0.2mm第１方向はエレメントのズレ量ａが0.2mmで第１半部３１１が第２半部３２１に対して前方向（第１方向）にずれている場合であり、0.3mm第２方向はエレメントのズレ量ａが0.3mmで第１半部３１１が第２半部３２１に対して後方向（第２方向）にずれている場合であり、0.3mm第１方向はエレメントのズレ量ａが0.3mmで第１半部３１１が第２半部３２１に対して前方向（第１方向）にずれている場合である。単位は、［Ｎ］である。
【００６８】
表２は、噛合状態にあるスライダースライドファスナーをスライダーにて分離する際の、スライダーの抵抗の大きさを表しており、スライドファスナーを５本準備し、スライダーを摺動するとの抵抗の大きさを記録し、最大（max）と最小（min）と、平均（Ave）を表す。
【表２】
2015116355.tif 000004
【００６９】
表３は、分離状態にあるスライダースライドファスナーをスライダーにて噛合する際の、スライダーの抵抗の大きさを表しており、スライドファスナーを５本準備し、スライダーを摺動するとの抵抗の大きさを記録し、最大（max）と最小（min）と、平均（Ave）を表す。
【表３】
2015116355.tif 000005
【００７０】
図１６及び図１７に示すように、同じズレ量0.2mm又は0.3mmそれぞれの場合、図１３に示した第１エレメント３０１の第１半部３１１が第２半部３２１に対して前方向（第１方向）にずれているようなスライドファスナーの摺動抵抗は、第１エレメント３０１の第１半部３１１が第２半部３２１に対して後方向（第２方向）にずれているスライドファスナーの摺動抵抗よりも小さい。言い換えれば、同じズレ量の場合、第１エレメント３０１の第１半部３１１が第２半部３２１に対して前方向（第１方向）にずれているスライドファスナーは、第１エレメント３０１の第１半部３１１が第２半部３２１に対して後方向（第２方向）にずれているスライドファスナーよりも滑らかに摺動させることが可能である。なお、前述の通り、第２エレメント３０２の場合も同様の結果となる。
【００７１】
このように、本実施形態のスライドファスナー１によれば、上面２１ａ，２２ａ及び上面２１ａ，２２ａの反対面側に下面２１ｂ，２２ｂを有する一対のファスナーテープ２１，２２及び一対のファスナーテープ２１，２２のそれぞれの縁部２３に所定のピッチ毎に固定された複数のエレメント３０１，３０２からなるエレメント列を有する一対のファスナーストリンガー１１，１２を各エレメント列３１，３２が対向するように配置したファスナーチェーン１０と、上面２１ａ，２２ａ側に配置され、引手７６が取り付けられる上翼板６１、下面２１ｂ，２２ｂ側に配置された下翼板６２、上翼板６１及び下翼板６２を連結し、第１エレメント列３１が出入りするための第１前口６７と第１前口６７の下面側に設けられ第２エレメント列３２が出入りするための第２前口６８を有する前端壁、及び噛合した状態の一対のエレメント列が出入りするための一つの後口７０を有し、各エレメント列３１，３２を噛合又は分離させるために移動自在なスライダー６と、を備える。前端壁にて、第２前口６８は、第１前口６７に対して上下方向に段差を有し、第１前口６７よりも下方に位置して設けられる。各エレメント３０１，３０２は、ファスナーテープ２に固定される基部３０１ｃ，３０２ｃ及び基部３０１ｃ，３０２ｃから突出し、対向するエレメント３０１，３０２と噛み合う頭部３０１ａ，３０２ａをそれぞれ有し、各エレメント３０１，３０２の頭部３０１ａ，３０２ａは、上面２１ａ，２２ａ側に配置された第１頭部３１１ａ，３１２ａと、ファスナーテープ２１，２２の下面２１ｂ，２２ｂ側に配置された第２頭部３２１ａ，３２２ａと、を有し、第１頭部３１１ａ，３１２ａは、第２頭部３２１ａ，３２２ａよりも、各エレメント列３１，３２を噛合させる際にスライダー６を移動させる第１方向にずらして形成されるので、連続エレメント列３１，３２を上下噛み合わせ式スライダー６で容易に噛合及び分離させるスライドファスナーを提供することが可能となる。
【００７２】
また、本実施形態のスライドファスナー１によれば、各エレメント３０１，３０２は、それぞれの基部３０１ｃ，３０２ｃと頭部３０１ａ，３０２ａの間に基部３０１ｃ，３０２ｃと頭部３０１ａ，３０２ａよりも前後方向の寸法である幅の小さい首部３０１ｂ，３０２ｂを有し、各エレメント３０１，３０２の首部３０１ｂ，３０２ｂは、下面２１ａ，２２ａ側に配置された第１首部３１１ｂ，３１２ｂと、ファスナーテープ２０の下面２１ｂ，２２ｂ側に配置された第２首部３２１ｂ，３２２ｂと、を有し、第１首部３１１ｂ，３１２ｂは、第２首部３２１ｂ，３２２ｂよりも、各エレメント列３１，３２を噛合させる際に第１方向にずらして形成されるので、より容易に安定して噛合及び分離させるスライドファスナーを提供することが可能となる。
【００７３】
また、本実施形態のスライドファスナー１によれば、各エレメント３０１，３０２は、第１頭部３１１ａ，３１２ａの下面２１ｂ，２２ｂ側の第１方向側に第１凸部３３１ａ，３３２ａが形成され、第１首部３１１ｂ，３１２ｂの下面２１ｂ，２２ｂ側の第１方向側に第１凹部３３１ｂ，３３２ｂが形成され、第２頭部３２１ａ，３２２ａの上面２１ａ，２２ａ側の第１方向とは反対の第２方向側に第２凸部３４１ａ，３４２ａが形成され、第２首部３２１ｂ，３２２ｂの上面２１ａ，２２ａ側の第１方向とは反対の第２方向側に第２凹部３４１ｂ，３４２ｂが形成され、一対のファスナーストリンガーの噛合時に、一方のエレメント３０１，３０２の第１凸部３３１ａ，３３２ａは対向するエレメント３０１，３０２の第２凹部３４１ｂ，３４２ｂと係合し、一方のエレメント３０１，３０２の第１凹部３３１ｂ，３３２ｂは対向するエレメント３０１，３０２の第２凸部３４１ａ，３４２ａと係合してなるので、安定して噛合及び分離させるスライドファスナーを提供することが可能となる。
【００７４】
また、本実施形態のスライドファスナー１によれば、第１頭部３１１ａ，３１２ａの第２頭部３２１ａ，３２２ａに対するずらしたズレ量ａは、0.2ｍｍ以上0.3ｍｍ以下であり、かつエレメント３０１，３０２の頭部３０１ａ，３０２ａの第１方向に沿う寸法Ｌに対するズレ量ａの割合ａ／Ｌは９％以上１５％以下であるので、ファスナーに求められる強度が十分で、かつ摺動抵抗の小さいスライドファスナー１を得ることができる。９％未満では強度が十分に得られず、１５％より大きいと摺動抵抗が大きくなる。
【００７５】
以上、本発明の種々の実施形態について説明したが、本発明はこれらの実施形態のみに限られるものではなく、それぞれの実施形態の構成を適宜組み合わせて構成した実施形態も本発明の範疇となるものである。
【符号の説明】
【００７６】
３０１…第１エレメント
３０２…第２エレメント
３０１ａ，３０２ａ…頭部
３０１ｂ，３０２ｂ…首部
３０１ｃ，３０２ｃ…基部
３１１，３１２…第１半部
３１１ａ，３１２ａ…第１頭部
３１１ｂ，３１２ｂ…第１首部
３１１ｃ，３１２ｃ…第１基部
３２１，３２２…第２半部
３２１ａ，３２２ａ…第２頭部
３２１ｂ，３２２ｂ…第２首部
３２１ｃ，３２２ｃ…第２基部
３３１ａ，３３２ａ…第１凸部
３３１ｂ，３３２ｂ…第１凹部
３３１ｃ，３３２ｃ…第１段部
３４１ａ，３４２ａ…第２凸部
３４１ｂ，３４２ｂ…第２凹部
３４１ｃ，３４２ｃ…第２段部
６…スライダー
１…スライドファスナー
【図１】
2015116355.tif 000006
【図２】
2015116355.tif 000007
【図３】
2015116355.tif 000008
【図４】
2015116355.tif 000009
【図５】
2015116355.tif 000010
【図６】
2015116355.tif 000011
【図７】
2015116355.tif 000012
【図８】
2015116355.tif 000013
【図９】
2015116355.tif 000014
【図１０】
2015116355.tif 000015
【図１１】
2015116355.tif 000016
【図１２】
2015116355.tif 000017
【図１３】
2015116355.tif 000018
【図１４】
2015116355.tif 000019
【図１５】
2015116355.tif 000020
【図１６】
2015116355.tif 000021
【図１７】
2015116355.tif 000022